(57)【要約】      （修正有）【課題】ワントラップ型排水装置において、筒状容器の下部に溜まった水の通常の水面よりも上の筒状容器内部に存する物に付着した異物を、筒状容器中の水に洗剤や洗浄剤を入れることで除去することを可能ならしめる蓋装置を提供する。【解決手段】排水を受け入れる有底の容器と、容器の内部に配設される有蓋無底のキャップ１４１と、キャップの内部に端部が開放された中空の導管部１０７と、を備えるワントラップ型排水装置の洗浄に用いる蓋装置１１であって、導管部の端部に当接、近接又は嵌入されることで、端部を経由した液の流通を制限する流通制限部３１と、流通制限部に直接的又は間接的に取り付けられ、キャップ又は導管部への係止により流通制限部の導管部の端部に対する相対的な移動を制限する取付部２１と、を含む。【選択図】図６
0003221919.tif 000002
【実用新案登録請求の範囲】
【請求項１】
排水を受け入れる有底の容器と、該容器の内部に配設される有蓋無底のキャップと、該キャップの内部に端部が開放された中空の導管部と、を備えてなるワントラップ型排水装置の洗浄に用いる蓋装置であって、
導管部の該端部に当接、近接又は嵌入されることで、該端部を経由した液の流通を制限する流通制限部と、
流通制限部に直接的又は間接的に取り付けられ、該キャップ又は導管部への係止により流通制限部の導管部の該端部に対する相対的な移動を制限する取付部と、を含んでなる、蓋装置。
【請求項２】
流通制限部は、水密性の材質で形成された、導管部の前記端部に当接する当接面を有するものである、請求項１に記載の蓋装置。
【請求項３】
流通制限部は、前記当接面を表面に有するゴム製の部材により形成されるものである、請求項２に記載の蓋装置。
【請求項４】
前記当接面が導管部の前記端部に当接した状態において、流通制限部が、前記キャップの内部を規定する内面との間に隙間を有するものである、請求項２又は３に記載の蓋装置。
【請求項５】
キャップ又は導管部への取付部の前記係止が、キャップの内部を規定する内面への取付部の当接によるものである、請求項１乃至４のいずれか１に記載の蓋装置。
【請求項６】
取付部が柔軟な材料により形成され、キャップの前記内面に圧縮状態にて当接するものである、請求項５に記載の蓋装置。
【請求項７】
取付部が、キャップの内面を巡るように当接するものである、請求項５又は６に記載の蓋装置。
【請求項８】
取付部が、透水性材料により形成されるものである、請求項１乃至７のいずれか１に記載の蓋装置。
【請求項９】
流通制限部が、第１の直円柱形状をなす第１部材により形成され、
取付部が、第１の直円柱よりも大きな半径の第２の直円柱形状をなす第２部材により形成され、
第１の直円柱の軸と第２の直円柱の軸とが同一直線上に存すると共に、第１の直円柱の一底面と第２の直円柱の一底面とが接するように、第１部材と第２部材とが互いに取り付けられているものである、請求項１乃至８のいずれか１に記載の蓋装置。
【考案の詳細な説明】
【技術分野】
【０００１】
本考案は、ワントラップ型排水装置の洗浄に用いる蓋装置に関し、より詳細には、台所（例えば、流し台）、トイレ及び洗面所等の排水装置において、排水管からの悪臭や害虫害獣（例えば、ゴキブリやネズミ等）の進入を防止するために設けられるワントラップ型排水装置を洗浄する際に用いる蓋装置に関する。
【背景技術】
【０００２】
ワントラップ型排水装置は、台所（例えば、流し台）、トイレ及び洗面所等の排水装置において、排水管から悪臭や害虫害獣（例えば、ゴキブリやネズミ等）が室内に進入することを防止又は減少させるために用いられてきた（例えば、特許文献１参照）。
【０００３】
図７は、ワントラップ型排水装置を備えた台所流し台のシンク排水装置１０１の断面図を示し、図８は、図７に示されたシンク排水装置１０１に含まれるゴム製蓋１２１（図８（ａ））、濾過バスケット１３１（図８（ｂ））及びキャップ１４１（図８（ｃ））それぞれの斜視図を示している。図７及び図８を参照して、従来から使用されてきたワントラップ型排水装置を備えるシンク排水装置１０１について説明する。なお、図７は、後述の筒状容器１０５が形成する回転体の軸を含む平面による一断面を示している。
シンク排水装置１０１は、ここでは台所に設置される流し台のシンク（いずれも図示せず）の底板１０２に設けられており、具体的には、円形をなす上周縁１０３ａが底板１０２に取り付けられた有底無蓋の筒状容器１０５と、筒状容器１０５の底部に設置された無底有蓋のキャップ１４１と、キャップ１４１に載置された濾過バスケット１３１（キャップ１４１の上面に形成された支持突条１４１ｋに濾過バスケット１３１下面が当接することで載置される。）と、濾過バスケット１３１の上面開口を閉じるように取り付けられたゴム製蓋１２１と、上端がキャップ１４１の内部に位置すると共に筒状容器１０５の底面を貫通して下方へ延びる排水管１０７と、を含んでなり、排水管１０７下端には排水パイプ１０８が接続されている。
【０００４】
かかるシンク排水装置１０１は、図示しないシンク内で食品等が洗浄されると、食品かす等を伴った排水が、底板１０２に沿って流れ、ゴム製蓋１２１のスリット１２１ｓ（図８（ａ）参照）を経由して濾過バスケット１３１の内部１３１ｃ（図８（ｂ）参照）に進入したり、ゴム製蓋１２１を濾過バスケット１３１から取り外している場合は濾過バスケット１３１の内部１３１ｃに直接進入する。濾過バスケット１３１の内部１３１ｃに進入した該食品かす等を伴った排水は、濾過バスケット１３１に形成された数多くの貫通穴１３１ｈを通過するもの（主として水）は内部１３１ｃから外部１３１ｄに流出し、貫通穴１３１ｈを通過できないもの（例えば、比較的大きな食品かす）は内部１３１ｃに留まることで、濾過される。外部１３１ｄに流出した水２０１は、筒状容器１０５の内周面とキャップ１４１の外周面１４１ｆとの間の隙間からキャップ１４１の内部１４１ｃに流入する。そして、キャップ１４１の内部１４１ｃに流入した水２０１は、排水管１０７の上端よりも液面が高くなると、排水管１０７の上端から排水管１０７内部に溢流し排水管１０７及び排水パイプ１０８を経由して排水される。
【０００５】
このシンク排水装置１０１に含まれるワントラップ型排水装置は、筒状容器１０５とキャップ１４１と排水管１０７とにより構成され、排水管１０７上端とキャップ１４１下縁との間に形成される水層により排水管１０７からの様々な物の進入を防止又は減少させる。例えば、該水層により排水管１０７からの気体がキャップ１４１の外側に流出することを防止又は減少させ、悪臭がシンク側に進入することを防止又は減少させる。そして、該水層により排水管１０７から害虫害獣（例えば、ゴキブリやネズミ）がシンク側に進入することを防止又は減少させる。
なお、特許文献１に開示されたワントラップ型排水装置を含む排水装置は、上記の図７に示した濾過バスケット１３１を有さないものであるように、ワントラップ型排水装置としては様々なものが用いられており、キャップ１４１の内部１４１ｃに排水管１０７上端が開口しており、排水管１０７上端とキャップ１４１下縁との間に、水層が形成されることで排水管１０７からの様々な物の進入を防止又は減少させるものをワントラップ型排水装置は広く含むものである。
【０００６】
このようなワントラップ型排水装置においては、筒状容器１０５の内周面とキャップ１４１の外周面１４１ｆとの間の隙間や、キャップ１４１内面と排水管１０７外面との間の隙間等に汚れやゴミ等の異物が付着等して排水が妨げられることがある。このような異物を除去するため、図７で示した筒状容器１０５の下部に溜まった水２０１に洗剤や洗浄剤を注入又は投入し、しばらくそのまま放置（例えば一晩）した後、水洗する方法が知られている。
【先行技術文献】
【特許文献】
【０００７】
【特許文献１】特開２００４−１３２１５２号公報（例えば、要約、段落番号０００１、第１図及び第２図等）
【考案の概要】
【考案が解決しようとする課題】
【０００８】
ワントラップ型排水装置において、筒状容器１０５の下部に溜まった水２０１に洗剤や洗浄剤を入れて異物を除去する上記の方法では、図７において水２０１に潜入している物（例えば、排水管１０７、キャップ１４１下部、筒状容器１０５下部）に付着した異物は除去できるものの、図７における水２０１の液面よりも上に存する物（例えば、キャップ１４１上部、筒状容器１０５上部、濾過バスケット１３１）に付着した異物を除去することに効果はない。このため水２０１の液面よりも上に存する物に付着した異物は、水２０１に洗剤や洗浄剤を入れても異物を除去する作業とは別途の洗浄作業により除去する必要があり、該別途の洗浄作業に伴う手間の増加や衛生面での問題が生じうる。
そこで、本考案では、ワントラップ型排水装置において、筒状容器の下部に溜まった水の通常の水面よりも上の筒状容器内部に存する物に付着した異物を、筒状容器中の水に洗剤や洗浄剤を入れること（例えば、注入や投入等）で除去することを可能ならしめるものを提供することを目的とする。
【課題を解決するための手段】
【０００９】
本考案の蓋装置（以下「本装置」という。）は、排水を受け入れる有底の容器と、該容器の内部に配設される有蓋無底のキャップと、該キャップの内部に端部が開放された中空の導管部と、を備えてなるワントラップ型排水装置の洗浄に用いる蓋装置であって、導管部の該端部に当接、近接又は嵌入されることで、該端部を経由した液の流通を制限する流通制限部と、流通制限部に直接的又は間接的に取り付けられ、該キャップ又は導管部への係止により流通制限部の導管部の該端部に対する相対的な移動を制限する取付部と、を含んでなる、蓋装置である。
本装置は、排水を受け入れる有底の容器と、該容器の内部に配設される有蓋無底のキャップと、該キャップの内部に端部が開放された中空の導管部と、を備えてなるワントラップ型排水装置の洗浄に用いる蓋装置である。ワントラップ型排水装置は、排水を受け入れる有底の容器と、該容器の内部に配設される有蓋無底のキャップと、該キャップの内部に端部が開放された中空の導管部と、を備える排水装置である。
本装置は、流通制限部と取付部とを含んでなる。
流通制限部は、導管部の該端部（キャップの内部に開放された端部）に当接、近接又は嵌入されることで、該端部を経由した液の流通を制限（禁止又は減少）するものである。流通制限部が該端部に当接するとは、流通制限部の少なくとも一部が該端部の少なくとも一部に当接することをいい、流通制限部が該端部に近接するとは、流通制限部の少なくとも一部が該端部の少なくとも一部の近くに存することをいい、そして流通制限部が該端部に嵌入されるとは、流通制限部の少なくとも一部が該端部に嵌入されることで、開放された該端部の少なくとも一部を閉塞させることをいう。そして、このように該端部に流通制限部が当接、近接又は嵌入されることによって、流通制限部が存しない場合に比して該端部を経由した液の流通を少なくとも減少（無論、禁止してもよい。）させる。
取付部は、流通制限部に直接的又は間接的に取り付けられる。そして、取付部がキャップ又は導管部へ係止されることで、取付部に直接的又は間接的に取り付けられた流通制限部の導管部の該端部に対する相対的な移動を制限（禁止することを含む。）する。
このようにキャップ又は導管部へ係止される取付部により、取付部に直接的又は間接的に取り付けられた流通制限部の導管部の該端部に対する相対的な移動を制限し、導管部の該端部を経由した液の流通を制限する位置に流通制限部が位置した状態を保つ。これにより、本装置は導管部の該端部を経由した液（通常は排水）の流通を制限することにより、容器の下部に溜まる液の通常の液面よりも液面を高い位置に保つことができる。それにより本装置によれば、通常の液面よりも高い液面を有する容器中の水に洗剤や洗浄剤を入れることで、容器の下部に溜まる液の通常の液面よりも上に存する容器内部の物（通常の液面よりも上の容器内部に存する物も、洗剤や洗浄剤を入れられた水の中に潜入させることができる。）に付着した異物を除去することができる。
【００１０】
本装置においては、流通制限部は、水密性の材質で形成された、導管部の前記端部に当接する当接面を有するもの（以下「当接面本装置」という。）であってもよい。
こうすることで、流通制限部が、水密性の材質で形成された当接面を有し、該当接面が導管部の前記端部（キャップの内部に開放された端部）に当接するので、流通制限部が該端部を経由した液の流通を確実に制限（禁止又は減少）することができる。当接面を形成する水密性の材質は種々のものを用いることができ、特に限定されるものではないが、ゴム、合成樹脂、天然樹脂、金属、材木等を例示することができる。
【００１１】
当接面本装置においては、流通制限部は、前記当接面を表面に有するゴム製の部材により形成されるものであってもよい。
このように前記当接面を表面に有するゴム製の部材により流通制限部を形成することで、前記当接面を含む流通制限部の部分に適度な弾性を付与することができると共に（該弾性により導管部の前記端部に前記当接面が当接した際の水密性を向上させることができる。）、ゴムは耐水性に通常優れるので変質しにくく長寿命の流通制限部とすることができる。
【００１２】
当接面本装置においては、前記当接面が導管部の前記端部に当接した状態において、流通制限部が、前記キャップの内部を規定する内面との間に隙間を有するものであってもよい。
このように当接面が導管部の前記端部に当接した状態において、流通制限部がキャップ内面との間に隙間を有することで、洗剤や洗浄剤が入れられた水にキャップ内面が接触することが流通制限部によって妨げられず、キャップ内面の非洗浄部分を減少させることができる（流通制限部とキャップ内面とが接触し隙間を有さない場合には、洗剤や洗浄剤が入れられた水に接触しないキャップ内面が生じ、流通制限部が当接することによるキャップ内面の非洗浄部分が生じうる。）。
【００１３】
本装置においては、キャップ又は導管部への取付部の前記係止が、キャップの内部を規定する内面への取付部の当接によるもの（以下「キャップ内面当接本装置」という。）であってもよい。
キャップの内部に開放された導管部の前記端部に流通制限部が当接、近接又は嵌入された状態を保つように、流通制限部に直接的又は間接的に取り付けられた取付部が、流通制限部の該端部に対する相対的な移動を制限するためには、キャップ内面へ取付部が当接することでキャップへ係止されれば、キャップの内部に開放された前記端部に対する流通制限部の相対的な移動を確実かつ容易に制限することができる。
【００１４】
キャップ内面当接本装置においては、取付部が柔軟な材料により形成され、キャップの前記内面に圧縮状態にて当接するものであってもよい。
このように、柔軟な材料により形成された取付部が、キャップ内面に圧縮状態で当接することによりキャップへ係止されるようにすれば、柔軟な取付部を圧縮してキャップ内部に配置するという簡単な作業により取付部をキャップに容易に係止することができると共にキャップに係止された取付部をキャップから容易に取り外すこともできる。柔軟な材料としては種々のものを用いることができ、特に限定されるものではないが、スポンジ、ゴム、布等を例示することができる。
【００１５】
キャップ内面当接本装置においては、取付部が、キャップの内面を巡るように当接するものであってもよい。
このように取付部がキャップ内面を巡るように当接することで、キャップ内部における取付部の相対的位置を確実に決定し保持することができる。
【００１６】
本装置においては、取付部が、透水性材料により形成されるものであってもよい。
こうすることで、洗剤や洗浄剤が入れられた水が、透水性材料により形成された取付部を通過することができるので、取付部により該水が遮られて洗浄されない部分が生じることを防止又は減少させることができる。透水性材料としては種々のものを用いることができ、特に限定されるものではないが、スポンジや布等を例示することができる。
【００１７】
本装置においては、流通制限部が、第１の直円柱形状をなす第１部材により形成され、取付部が、第１の直円柱よりも大きな半径の第２の直円柱形状をなす第２部材により形成され、第１の直円柱の軸と第２の直円柱の軸とが同一直線上に存すると共に、第１の直円柱の一底面と第２の直円柱の一底面とが接するように、第１部材と第２部材とが互いに取り付けられているものであってもよい。
このように第１の直円柱形状をなす第１部材により形成される流通制限部と、第１の直円柱よりも大きな半径の第２の直円柱形状をなす第２部材により形成される取付部と、が第１の直円柱の軸と第２の直円柱の軸とが同一直線上に存すると共に、第１の直円柱の一底面と第２の直円柱の一底面とが接するように、第１部材と第２部材とが互いに取り付けられることで本装置が形成されることにより、キャップ内面と導管部の前記端部とが同心円状に配置されることが多いワントラップ型排水装置において第２部材の外周面がキャップ内面に当接した際に第１部材の底面（第１の直円柱の該一底面とは反対の底面）が導管部の該端部にうまく当接、近接又は嵌入されることができる。
【図面の簡単な説明】
【００１８】
【図１】本考案の一実施形態の蓋装置（本装置）を示す図である（図１（ａ）は本装置の底面図であり、図１（ｂ）は図１（ａ）のＡ−Ａ断面図である。）。
【図２】本装置の斜視図である。
【図３】本装置を使用する第１ステップを示す図である。
【図４】本装置を使用する第２ステップを示す図である。
【図５】本装置を使用する第３ステップを示す図である。
【図６】本装置を使用する第４ステップを示す図である。
【図７】従来から用いられてきたワントラップ型排水装置を備えた台所流し台のシンク排水装置の断面図である。
【図８】図７に示されたシンク排水装置を構成するゴム製蓋（図８（ａ））、濾過バスケット（図８（ｂ））及びキャップ（図８（ｃ））の斜視図である。
【考案を実施するための形態】
【００１９】
本考案の実施の形態を図面を参照して詳述するが、本考案はこれに限定されるものではない。
【００２０】
図１は、本装置１１を示す図であり、詳細には、図１（ａ）は本装置１１の底面図であり、図１（ｂ）は図１（ａ）のＡ−Ａ断面図である。図２は、本装置１１の斜視図である。図１及び図２を参照して、本装置１１について説明する。
【００２１】
本装置１１は、第１直円柱（半径Ｒ１、高さＴ１）形状の第１部分２１と、第１部分２１が形成する第１直円柱の両底面２１ａ、２１ｂのうち一底面２１ａに接着された第２直円柱（半径Ｒ２、高さＴ２）形状の第２部分３１と、を含んでなる。第１直円柱の軸と第２直円柱の軸とは、一直線Ｅ上に存する。
【００２２】
第１部分２１は、柔軟なスポンジ（材質：ポリウレタンフォーム、透水性）によって形成されており、ここでは半径Ｒ１は４５ｍｍとされ、高さＴ１は２０ｍｍとされている。この第１部分２１は、後述のように、キャップ１４１内部にやや圧縮されて収容されることで、キャップ１４１内周壁に当接し（係止）、キャップ１４１に対して本装置１１を固定する機能を奏するものであり、かかる機能を達成する程度の柔軟性及び寸法を有している。
【００２３】
第２部分３１は、第１部分２１に比して硬い材質（具体的にはゴム材料、非透水性）によって形成されており、ここでは半径Ｒ２は３０ｍｍとされ、高さＴ２は５ｍｍとされている。この第２部分３１は、後述のように、主表面３１ａが、排水管１０７の上端に水密的に密接することで該上端を塞ぐ栓の役割を果たす。このため一主表面３１ａが、排水管１０７の上端を完全に塞ぐことができるように、半径Ｒ２は該上端の半径よりも大きくされる。なお、前述の如く、第２部分３１の他主表面（一主表面３１ａとは反対の面）は、第１部分２１の一底面２１ａに接着されることで、第２部分３１が第１部分２１に対して固定されている。
【００２４】
次いで、本装置１１の使用方法について説明する。
図３は、図７において説明したシンク排水装置１０１に本装置１１を使用する第１ステップを示す図である。図３〜図６においては、図７及び図８において用いた参照番号を同じ要素に付すことで、重複する説明を省略する。
まず、第１ステップにおいては、ゴム製蓋１２１及び濾過バスケット１３１を筒状容器１０５から取り外す（ゴム製蓋１２１及び濾過バスケット１３１いずれも図３には図示しない。）。そして、さらに筒状容器１０５からキャップ１４１を取り外し（図３はこの状態を示している。）、取り外したキャップ１４１の内部１４１ｃに本装置１１を挿入する（矢印Ｇ）。このとき本装置１１の第１部分２１がキャップ１４１の奥に存在し、第２部分３１がキャップ１４１内部１４１ｃの入口側に存する方向に挿入する。そして、第１部分２１がやや圧縮されキャップ１４１内周壁に当接することで、キャップ１４１に対して本装置１１を固定する。キャップ１４１の内部１４１ｃを規定する内面は回転体を形成しており、該回転体の軸が、上述の一直線Ｅに略存する状態で本装置１１をキャップ１４１内部１４１ｃに挿入することで、第１部分２１がやや圧縮された状態でキャップ１４１内周壁を巡るように当接し、キャップ１４１に対して本装置１１が安定して固定される。また、排水管１０７の上端は、通常、該回転体の軸に対して垂直な平面に属するように形成されるため、該回転体の軸が一直線Ｅに略存することにより、第２部分３１の主表面３１ａを該平面に沿ったものとして、主表面３１ａが、後に排水管１０７の上端に密接しやすくなる。
【００２５】
図４は、本装置１１を使用する第２ステップを示す図である。
前述の第１ステップにて、本装置１１が内部１４１ｃに挿入されたキャップ１４１を筒状容器１０５に取り付ける。このとき第２部分３１の主表面３１ａが排水管１０７の上端に密接するようにして、排水管１０７の該上端を塞ぐ。
【００２６】
図５は、本装置１１を使用する第３ステップを示す図である。
前述の第２ステップにて、キャップ１４１内部１４１ｃに存する本装置１１の第２部分３１の主表面３１ａにて排水管１０７上端を塞いだ状態で、筒状容器１０５の内部に水２１１を満たす（排水管１０７上端が塞がれているので、筒状容器１０５の上部まで水２１１を溜めることができる。）。そして、洗浄剤３０１（一般的な下水パイプ洗浄剤等を用いることができる。）を、該満たされた水２１１に投入する。これにより、洗浄剤３０１から洗浄成分が水２１１に溶解及び拡散し、水２１１に接している物の表面に付着している異物が除去される。またこのとき、第１部分２１が透水性の材質で形成されていることにより、洗浄成分を含む水２１１が第１部分２１にしみ込み、第１部分２１に接するキャップ１４１の内壁も洗浄成分により洗浄される。
【００２７】
図６は、本装置１１を使用する第４ステップを示す図である。
前述の第３ステップにて洗浄剤３０１が投入された水２１１（図６においては洗浄剤３０１が完全に水２１１に溶解しており図６には表れない。）に、濾過バスケット１３１を潜入させ、キャップ１４１に載置する（キャップ１４１の支持突条１４１ｋに濾過バスケット１３１下面を当接させ載置する。）。そして、濾過バスケット１３１の上面開口をゴム製蓋１２１により閉じる。
この状態でほぼ一晩（約１０時間）放置することで、水２１１に溶解した洗浄剤３０１からの洗浄成分によって水２１１に接する物の表面に付着した異物が除去される。
【００２８】
本装置１１を使用する第５ステップは、前述の第４ステップの後、ゴム製蓋１２１、濾過バスケット１３１、キャップ１４１をこの順番で筒状容器１０５から取り外し、水２１１を排水管１０７及び排水パイプ１０８を経由して排水する。その後、キャップ１４１から本装置１１を取り外す。
そして、筒状容器１０５に、キャップ１４１、濾過バスケット１３１、ゴム製蓋１２１をこの順で取り付けることで、図７に示すシンク排水装置１０１を構成できる。
以上の通り、本装置１１により排水管１０７上端を塞ぐことで、筒状容器１０５の内部に水２１１を満たし、筒状容器１０５の内部に存する物に付着した異物を一度に洗浄及び除去することができる。
【００２９】
以上説明の通り、本装置１１は、排水（ここでは台所流し台から生じる排水）を受け入れる有底の容器（ここでは筒状容器１０５）と、該容器（筒状容器１０５）の内部に配設される有蓋無底のキャップ１４１と、該キャップ１４１の内部１４１ｃに端部（ここでは排水管１０７上端）が開放された中空の導管部（ここでは排水管１０７）と、を備えてなるワントラップ型排水装置の洗浄に用いる蓋装置であって、導管部（排水管１０７）の該端部（排水管１０７上端）に当接、近接又は嵌入される（ここでは当接）ことで、該端部（排水管１０７上端）を経由した液の流通を制限する流通制限部（ここでは第２部分３１）と、流通制限部（第２部分３１）に直接的又は間接的に取り付けられ、該キャップ１４１又は導管部（排水管１０７）への係止（ここではキャップ１４１への係止）により流通制限部（第２部分３１）の導管部（排水管１０７）の該端部（排水管１０７上端）に対する相対的な移動を制限する取付部（ここでは第１部分２１）と、を含んでなる、蓋装置である。
【００３０】
本装置１１においては、流通制限部（第２部分３１）は、水密性の材質（ここでは非透水性のゴム材料）で形成された、導管部（排水管１０７）の前記端部（排水管１０７上端）に当接する当接面（ここでは主表面３１ａ）を有するものである。
本装置１１においては、流通制限部（第２部分３１）は、前記当接面（主表面３１ａ）を表面に有するゴム製の部材により形成されるものである。
【００３１】
本装置１１においては、前記当接面（主表面３１ａ）が導管部（排水管１０７）の前記端部（排水管１０７上端）に当接した状態（例えば、図４、図５、図６）において、流通制限部（第２部分３１）が、前記キャップ１４１の内部１４１ｃを規定する内面との間に隙間を有するものである（ここでは流通制限部（第２部分３１）がキャップ１４１の内面と接触していない。）。
本装置１１においては、キャップ１４１又は導管部（排水管１０７）への取付部（第１部分２１）の前記係止が、キャップ１４１の内部１４１ｃを規定する内面への取付部（第１部分２１）の当接によるものである。
本装置１１においては、取付部（第１部分２１）が柔軟な材料（ここでは柔軟なスポンジ（ポリウレタンフォーム、透水性））により形成され、キャップ１４１の前記内面に圧縮状態にて当接する。
本装置１１においては、取付部（第１部分２１）が、キャップ１４１の内面を巡るように当接するものである（ここではキャップ１４１の内面を巡るように連続して当接する。）。
本装置１１においては、取付部（第１部分２１）が、透水性材料（柔軟なスポンジ（ポリウレタンフォーム、透水性））により形成されるものである。
【００３２】
本装置１１においては、流通制限部（第２部分３１）が、第１の直円柱（半径Ｒ２、高さＴ２）形状をなす第１部材により形成され、取付部（第１部分２１）が、第１の直円柱よりも大きな半径の第２の直円柱形状（半径Ｒ１、高さＴ１）をなす第２部材により形成され、第１の直円柱の軸と第２の直円柱の軸とが同一直線Ｅ上に存すると共に、第１の直円柱の一底面（主表面３１ａとは反対側の底面）と第２の直円柱の一底面（一底面２１ａ）とが接するように、第１部材と第２部材とが互いに取り付けられているものである。
【符号の説明】
【００３３】
１１             本装置
２１             第１部分
２１ａ、２１ｂ   底面
３１             第２部分
３１ａ           主表面
１０１             シンク排水装置
１０２             底板
１０３ａ           上周縁
１０５             筒状容器
１０７             排水管
１０８             排水パイプ
１２１             ゴム製蓋
１２１ｓ           スリット
１３１             濾過バスケット
１３１ｃ           内部
１３１ｄ           外部
１３１ｈ           貫通穴
１４１             キャップ
１４１ｃ           内部
１４１ｆ           外周面
１４１ｋ           支持突条
２０１、２１１     水
３０１             洗浄剤
【図１】
0003221919.tif 000003
【図２】
0003221919.tif 000004
【図３】
0003221919.tif 000005
【図４】
0003221919.tif 000006
【図５】
0003221919.tif 000007
【図６】
0003221919.tif 000008
【図７】
0003221919.tif 000009
【図８】
0003221919.tif 000010